(57)【要約】【課題】組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とする。【解決手段】４つのレンズ１１１，１１２，１１３，１１４および３つの間隔環１２１，１２２，１２３を収容する中空形状のレンズ枠１３０が、内面１３１に、光軸方向である矢印Ａ方向に延び周回方向に断続的に形成された３本の凹溝１３１１を有するものである。【選択図】        図１
2012002943.tif 000002
【特許請求の範囲】
【請求項１】
複数のレンズと、
前記複数のレンズを収容する中空形状であって光軸方向前端部と後端部との双方に開口し、該複数のレンズのうちの最後端側に配備される後端側レンズの後端側の面の周縁部分を押さえる後端側レンズ押さえ部と、光軸方向に延び周回方向に断続的に形成された少なくとも３本の凹溝および該凹溝同士の間に形成された突条を有する内面とを有するレンズ枠と、
前記レンズ枠に支持され、該レンズ枠内に収容された前記複数のレンズのうちの最前端側に配備される前端側レンズの前端側の面の周縁部分を押さえる押さえ環とを備えたことを特徴とするレンズ鏡胴。
【請求項２】
前記レンズ枠が、セラミック製であることを特徴とする請求項１記載のレンズ鏡胴。
【請求項３】
前記複数のレンズにおける隣接するレンズ間に配置されて該複数のレンズとともに前記レンズ枠内に収容された間隔環をさらに備えたことを特徴とする請求項１または２記載のレンズ鏡胴。
【請求項４】
光軸方向に延びる少なくとも３本の延在部を有するレンズ保持部材に複数のレンズを保持させ、
光軸方向前端部と後端部との双方に開口し、該複数のレンズのうちの最後端側に配備される後端側レンズの後端側の面の周縁部分を押さえる後端側レンズ押さえ部と、光軸方向に延び周回方向に断続的に形成された、前記延在部がそれぞれ収容される少なくとも３本の凹溝および該凹溝同士の間に形成された突条を有する内面とを有するレンズ枠内に、該複数のレンズを保持させた状態のレンズ保持部材を挿入し、
前記レンズ枠内に挿入された前記レンズ保持部材を、該レンズ枠内に前記複数のレンズを残したまま引き抜き、
前記レンズ枠内に収容された前記複数のレンズのうちの最前端側に配備される前端側レンズの前端側の面の周縁部分を押さえる押さえ環を前記レンズ枠に取り付けることを特徴とするレンズ鏡胴組立方法。
【請求項５】
光軸方向前端部と後端部との双方に開口し、複数のレンズのうちの最後端側に配備される後端側レンズの後端側の面の周縁部分を押さえる後端側レンズ押さえ部と、光軸方向に延び周回方向に断続的に形成された少なくとも３本の凹溝および該凹溝同士の間に形成された突条を有する内面とを有するレンズ枠内に、光軸方向に延びそれぞれが前記凹溝のそれぞれに収容される少なくとも３本の延在部を有するレンズ保持部材を挿入し、
前記レンズ枠内に挿入された状態のレンズ保持部材の内側に前記複数のレンズを挿入し、
前記レンズ枠内に挿入された前記レンズ保持部材を、該レンズ枠内に前記複数のレンズを残したまま引き抜き、
前記レンズ枠内に収容された前記複数のレンズのうちの最前端側に配備される前端側レンズの前端側の面の周縁部分を押さえる押さえ環を前記レンズ枠に取り付けることを特徴とするレンズ鏡胴組立方法。
【請求項６】
前記３本の延在部のそれぞれが、前記凹溝のそれぞれの深さよりも厚い厚さを有するものであることを特徴とする請求項４または５記載のレンズ鏡胴組立方法。
【発明の詳細な説明】
【技術分野】
【０００１】
本発明は、レンズ鏡胴およびレンズ鏡胴組立方法に関する。
【背景技術】
【０００２】
従来より、カメラ付き携帯電話のカメラや車載用カメラなどには、一般に、レンズ枠に複数のレンズが収容されたレンズ鏡胴が用いられている。このレンズ鏡胴が搭載された機器は、温度や湿度が変化する環境で使用されることが多い。例えば車載用カメラは、高温下にさらされたり低温下にさらされたりする。そのため、このレンズ鏡胴は、非常に高い信頼性、すなわち、高温・低温、温度ショックなど、厳しい環境条件下での性能安定性や耐久性が必要とされている。
【０００３】
このようなレンズ鏡胴として、鏡筒内周面にある支持部とレンズの外周部との間にはんだを介在させ、鏡筒内を密封させる技術が提案されている（例えば、特許文献１参照。）。
【０００４】
また、このようなレンズ鏡胴として、鏡筒内周面の長手方向に所定間隔をおいて設けた支持部とレンズの外周部とを、酸素の共有結合により直接接合させる技術が提案されている（例えば、特許文献２参照。）。
【０００５】
また、近年、このようなレンズ鏡胴として、不要な光を遮光することができるとともに、通気性を有し、温度変化や湿度変化の影響をほとんど受けることのない、セラミック製のレンズ枠が注目を受けてきている（例えば、特許文献１，２，３参照。）。
【０００６】
また、所定の口径をなす開口絞りを画定すると共に、鏡筒の内周面に嵌入されかつ２つのレンズ間に介在させられて光軸方向の間隔を規定する環状スペーサを備えたレンズ鏡胴が提案されている（例えば、特許文献４参照。）。
【先行技術文献】
【特許文献】
【０００７】
【特許文献１】特開２００６−２８４９９１号公報
【特許文献２】特開２００６−２９２９２７号公報
【特許文献３】特開２００７−２３８４３０号公報
【特許文献４】特開２００７−２７９５５７号公報
【発明の概要】
【発明が解決しようとする課題】
【０００８】
レンズ枠に複数のレンズが収容されたレンズ鏡胴におけるレンズ外径とレンズ枠内径との間は、組立後にレンズの軸ズレなどによる光学性能の低下を起さないよう、一般に、２０μｍ以下のクリアランスとなるように公差管理されている。
【０００９】
例えば、レンズがガラス製でありレンズ枠がセラミック製である場合には、レンズをレンズ枠に組み込む際に、芯がずれたり傾いたりした姿勢でレンズが挿入されることに起因して、両者が擦れるおそれがある。そして、レンズ外径とレンズ枠内径との間のクリアランスが２０μｍ以下となるように公差管理されていることを考慮すると、そのような擦れを回避することは極めて困難である。ガラス製のレンズとセラミック製のレンズ枠は、双方ともに硬い材料であるため、両者が擦れると削れカスが発生し、組み立てられたレンズ鏡胴において、削れカスが光学性能に悪影響を与えることとなる。
【００１０】
本発明は、上記事情に鑑み、組み立て時に削れカスが発生することが回避され、組み立てられたレンズ鏡胴において、削れカスに起因して光学性能が悪化することが防止されたレンズ鏡胴およびレンズ鏡胴組立方法を提供することを目的とするものである。
【課題を解決するための手段】
【００１１】
上記目的を達成する本発明のレンズ鏡胴は、
複数のレンズと、
上記複数のレンズを収容する中空形状であって光軸方向前端部と後端部との双方に開口し、この複数のレンズのうちの最後端側に配備される後端側レンズの後端側の面の周縁部分を押さえる後端側レンズ押さえ部と、光軸方向に延び周回方向に断続的に形成された少なくとも３本の凹溝およびこの凹溝同士の間に形成された突条を有する内面とを有するレンズ枠と、
上記レンズ枠に支持され、このレンズ枠内に収容された上記複数のレンズのうちの最前端側に配備される前端側レンズの前端側の面の周縁部分を押さえる押さえ環とを備えたことを特徴とする。
【００１２】
ここで、本発明における光軸方向前端および後端は、光軸方向両端の一方と他方を区別するものである。つまり、前端側および後端側は、被写体側および結像側にそれぞれ対応する場合と、この逆に、結像側および被写体側にそれぞれ対応する場合との双方を含む意味である。
【００１３】
本発明のレンズ鏡胴は、複数のレンズを収容する中空形状のレンズ枠が、内面に、光軸方向に延び周回方向に断続的に形成された少なくとも３本の凹溝を有するものである。従って、本発明のレンズ鏡胴によれば、このレンズ鏡胴の組み立て時において、例えば、上記凹溝のそれぞれに収容される少なくとも３本の延在部を有する、複数のレンズおよびレンズ枠双方の硬度よりも低い硬度のレンズ保持部材に複数のレンズを保持させてレンズ枠内に挿入し、その後にレンズ保持部材を、レンズ枠内に複数のレンズを残したまま引き抜くことができる。従って、このレンズ鏡胴の組み立て時において、複数のレンズとレンズ枠とが擦れることがなく、両者が擦れて削れカスが発生することが回避される。このため、削れカスに起因して光学性能が悪化することが防止される。
【００１４】
ここで、本発明のレンズ鏡胴は、上記レンズ枠が、セラミック製であることが好ましい。
【００１５】
このような好ましい形態によれば、削れカスに起因して光学性能が悪化することが防止されるとともに、レンズ枠が受ける温度変化や湿度変化の影響が抑えられる。
【００１６】
また、本発明のレンズ鏡胴は、上記複数のレンズにおける隣接するレンズ間に配置されてそれら複数のレンズとともに上記レンズ枠内に収容された間隔環をさらに備えたことが好ましい。
【００１７】
このような好ましい形態によれば、複数のレンズそれぞれの光軸方向の位置が確実に決められる。
【００１８】
また、上記目的を達成する本発明のレンズ鏡胴組立方法のうちの第１のレンズ鏡胴組立方法は、
光軸方向に延びる少なくとも３本の延在部を有するレンズ保持部材に複数のレンズを保持させ、
光軸方向前端部と後端部との双方に開口し、この複数のレンズのうちの最後端側に配備される後端側レンズの後端側の面の周縁部分を押さえる後端側レンズ押さえ部と、光軸方向に延び周回方向に断続的に形成された、上記延在部がそれぞれ収容される少なくとも３本の凹溝およびこの凹溝同士の間に形成された突条を有する内面とを有するレンズ枠内に、この複数のレンズを保持させた状態のレンズ保持部材を挿入し、
上記レンズ枠内に挿入された上記レンズ保持部材を、このレンズ枠内に上記複数のレンズを残したまま引き抜き、
上記レンズ枠内に収容された上記複数のレンズのうちの最前端側に配備される前端側レンズの前端側の面の周縁部分を押さえる押さえ環を上記レンズ枠に取り付けることを特徴とする。
【００１９】
本発明のレンズ鏡胴組立方法のうちの第１のレンズ鏡胴組立方法によれば、レンズ枠が凹溝を有するので、その凹溝に、複数のレンズおよびレンズ枠双方の硬度よりも低い硬度を有するレンズ保持部材を挿入できる。従って、複数のレンズとレンズ枠とが擦れることがなく、両者が擦れて削れカスが発生することが回避される。このため、組み立てられたレンズ鏡胴において、削れカスに起因して光学性能が悪化することが防止される。また、この第１のレンズ鏡胴組立方法は、レンズ保持部材が光軸方向に延びる少なくとも３本の延在部を有するものであるため、レンズ保持部材に複数のレンズを保持させたり、レンズ枠内にレンズ保持部材を挿入したりするときの作業性に優れる。また、レンズ保持部材がレンズ枠内に残っていると、そのレンズ保持部材が周囲の温度変化によって膨張・収縮を繰り返すうちに、レンズ枠の損傷を引き起こすおそれがあるが、この第１のレンズ鏡胴組立方法は、レンズ保持部材を引き抜く組立方法であるため、そのようなおそれがない。また、この第１のレンズ鏡胴組立方法は、レンズ保持部材を、レンズ枠内に複数のレンズを残したまま引き抜く組立方法であるため、レンズ保持部材を治具として使い回すことができる。さらに、この第１のレンズ鏡胴組立方法は、複数のレンズをレンズ保持部材に保持させた状態でレンズ枠内に挿入する組立方法であるため、組立性に優れるとともに、傾いた姿勢でレンズが挿入されることによる擦れが回避される。
【００２０】
また、上記目的を達成する本発明のレンズ鏡胴組立方法のうちの第２のレンズ鏡胴組立方法は、
光軸方向前端部と後端部との双方に開口し、複数のレンズのうちの最後端側に配備される後端側レンズの後端側の面の周縁部分を押さえる後端側レンズ押さえ部と、光軸方向に延び周回方向に断続的に形成された少なくとも３本の凹溝およびこの凹溝同士の間に形成された突条を有する内面とを有するレンズ枠内に、光軸方向に延びそれぞれが上記凹溝のそれぞれに収容される少なくとも３本の延在部を有するレンズ保持部材を挿入し、
上記レンズ枠内に挿入された状態のレンズ保持部材の内側に上記複数のレンズを挿入し、
上記レンズ枠内に挿入された上記レンズ保持部材を、このレンズ枠内に上記複数のレンズを残したまま引き抜き、
上記レンズ枠内に収容された上記複数のレンズのうちの最前端側に配備される前端側レンズの前端側の面の周縁部分を押さえる押さえ環を上記レンズ枠に取り付けることを特徴とする。
【００２１】
本発明のレンズ鏡胴組立方法のうちの第２のレンズ鏡胴組立方法によれば、レンズ枠が凹溝を有するので、その凹溝に、複数のレンズおよびレンズ枠双方の硬度よりも低い硬度を有するレンズ保持部材を挿入できる。従って、複数のレンズとレンズ枠とが擦れることがなく、両者が擦れて削れカスが発生することが回避される。このため、組み立てられたレンズ鏡胴において、削れカスに起因して光学性能が悪化することが防止される。また、この第１のレンズ鏡胴組立方法は、レンズ保持部材が光軸方向に延びる少なくとも３本の延在部を有するものであるため、レンズ保持部材に複数のレンズを保持させたり、レンズ枠内にレンズ保持部材を挿入したりするときの作業性に優れる。また、レンズ保持部材がレンズ枠内に残っていると、そのレンズ保持部材が周囲の温度変化によって膨張・収縮を繰り返すうちに、レンズ枠の損傷を引き起こすおそれがあるが、この第１のレンズ鏡胴組立方法は、レンズ保持部材を引き抜く組立方法であるため、そのようなおそれがない。また、この第１のレンズ鏡胴組立方法は、レンズ保持部材を、レンズ枠内に複数のレンズを残したまま引き抜く組立方法であるため、レンズ保持部材を治具として使い回すことができる。
【００２２】
ここで、本発明のレンズ鏡胴組立方法は、上記３本の延在部のそれぞれが、上記凹溝のそれぞれの深さよりも厚い厚さを有するものであることが好ましい。
【００２３】
凹溝に延在部に挿入された状態で、この凹溝からレンズ枠の中に向かって突出した延在部が複数のレンズを保持するので、挿入時における複数のレンズとレンズ枠との接触が確実に回避される。
【発明の効果】
【００２４】
本発明によれば、組み立て時に削れカスが発生することが回避され、組み立てられたレンズ鏡胴において、削れカスに起因して光学性能が悪化することが防止されたレンズ鏡胴およびレンズ鏡胴組立方法が提供される。
【図面の簡単な説明】
【００２５】
【図１】本発明のレンズ鏡胴の一実施形態であるレンズ鏡胴の光軸方向と平行な縦断面図である。
【図２】図１に示すレンズ鏡胴の光軸方向と直角な縦断面図である。
【図３】レンズ枠内に、４つのレンズおよび３つの間隔環を保持させた状態のレンズ保持部材を挿入する工程を示す説明図である。
【図４】図３に示す工程によりレンズ保持部材がレンズ枠内に挿入された状態を示す斜視図である。
【図５】図４に示す状態の光軸方向と平行な縦断面図である。
【図６】図４に示す状態の光軸方向と直角な縦断面図である。
【発明を実施するための形態】
【００２６】
以下、図面を参照して本発明の実施の形態を説明する。
【００２７】
図１は、本発明のレンズ鏡胴の一実施形態であるレンズ鏡胴１００の光軸方向と平行な縦断面図であり、図２は、図１に示すレンズ鏡胴１００の光軸方向と直角な縦断面図である。
【００２８】
図１，図２に示すように、レンズ鏡胴１００は、４つのレンズ１１１，１１２，１１３，１１４と、３つの間隔環１２１，１２２，１２３と、レンズ枠１３０と、押さえ環１４０とを備えている。
【００２９】
４つのレンズ１１１，１１２，１１３，１１４は、ぞれぞれガラス製のレンズであって、結像側から第１レンズ１１１、第２レンズ１１２、第３レンズ１１３、第４レンズ１１４の順に、光軸が重なるよう配置されている。各レンズ１１１，１１２，１１３，１１４は円盤形であり、外径（側面）は研磨されておらず、＃１０００以下のスリ面とされている。側面がスリ面であることによってゴーストなどの悪影響が抑えられる。側面のスリ面は、加工の容易さから＃３００以下であることが好ましい。これら４つのレンズ１１１，１１２，１１３，１１４が、本発明にいう複数のレンズの一例に相当するものである。また、被写体側が本発明にいう光軸方向前端側の一例に相当し、結像側が本発明にいう光軸方向後端側の一例に相当する。また、これら４つのレンズ１１１，１１２，１１３，１１４のうちの第１レンズ１１１が、本発明にいう後端側レンズの一例に相当するものであり、第４レンズ１１４が、本発明にいう前端側レンズの一例に相当するものである。
【００３０】
３つの間隔環１２１，１２２，１２３は、４つのレンズ１１１，１１２，１１３，１１４における隣接するレンズ間に配置されている。すなわち、第１レンズ１１１と第２レンズ１１２との間に第１間隔環１２１が配置され、第２レンズ１１２と第３レンズ１１３との間に第２間隔環１２２が配置され、第３レンズ１１３と第４レンズ１１４との間に第３間隔環１２３が配置されている。これら３つの間隔環１２１，１２２，１２３のそれぞれが、本発明にいう間隔環の一例に相当するものである。
【００３１】
レンズ枠１３０は、４つのレンズ１１１，１１２，１１３，１１４の硬度よりも高い硬度を有する多孔質のセラミック製部材である。また、このレンズ枠１３０は、４つのレンズ１１１，１１２，１１３，１１４および３つの間隔環１２１，１２２，１２３を収容する中空形状であって光軸方向である矢印Ａ方向両端に開口し、内面１３１と、外面１３２とを有する。また、内面１３１は、光軸方向である矢印Ａ方向に延び周回方向に断続的に形成された３本の凹溝１３１１と、３本の凹溝同士の間に形成された３本の突条１３１２とを有する。さらに、このレンズ枠１３０は、４つのレンズ１１１，１１２，１１３，１１４のうちの最結像側に配備される第１レンズ１１１の結像側の面の周縁部分１１１１を押さえる結像側レンズ押さえ部１３３を有する。このレンズ枠１３０が、本発明にいうレンズ枠の一例に相当するものである。尚、すでに説明した間隔環１２１，１２２，１２３には、レンズ枠１３０と同様にセラミック製の部材が採用可能であり、また、樹脂やガラスも採用可能である。
【００３２】
押さえ環１４０は、例えばレンズ枠１３０と同じ材質であるセラミック製部材であり、概略筒状であり、一方の開口端は筒の中央に向かって張り出した形状を有している。また、この押さえ環１４０は、レンズ枠１３０に支持されている。より詳細には、押さえ環１４０はレンズ枠１３０の被写体側の端に被さり、レンズ枠１３０に固定されている。尚、押さえ環１４０のレンズ枠１３０への固定は、接着固定であってもよく、あるいは、押さえ環１４０の内周およびレンズ枠１３０の外面１３２にねじ山を設けてなるねじ止め固定であってもよい。また、この押さえ環１４０は、レンズ枠１３０内に収容された４つのレンズ１１１，１１２，１１３，１１４のうちの最被写体側に配備される第４レンズ１１４の被写体側の面の周縁部分１１４１を押さえている。つまり、４つのレンズ１１１，１１２，１１３，１１４および３つの間隔環１２１，１２２，１２３は、レンズ枠１３０の結像側レンズ押さえ部１３３と押さえ環１４０との間に挟み付けられている。この押さえ環１４０が、本発明にいう押さえ環の一例に相当するものである。
【００３３】
このように構成されたレンズ鏡胴１００では、レンズ枠１３０内に収容された４つのレンズ１１１，１１２，１１３，１１４の、光軸方向である矢印Ａ方向の位置が、結像側レンズ押さえ部１３３、３つの間隔環１２１，１２２，１２３、および押さえ環１４０によって決められている。
【００３４】
また、このように構成されたレンズ鏡胴１００において、４つのレンズ１１１，１１２，１１３，１１４それぞれの外径とレンズ枠１３０内面１３１の突条１３１２との間は、レンズ挿入時に接触しない程度のクリアランスが設けられている。ただし、このクリアランスは、レンズの軸ズレなどによる光学性能の低下を起さない限度に、例えば３０μｍ以下、好ましくは１５μｍ以下に設定されている。
【００３５】
本実施形態のレンズ鏡胴１００は、４つのレンズ１１１，１１２，１１３，１１４および３つの間隔環１２１，１２２，１２３を収容する中空形状のレンズ枠１３０が、内面１３１に、光軸方向である矢印Ａ方向に延び周回方向に断続的に形成された３本の凹溝１３１１を有するものである。従って、本実施形態のレンズ鏡胴１００によれば、このレンズ鏡胴１００の組み立て時において、例えば、光軸方向である矢印Ａ方向に延びそれぞれが３本の凹溝１３１１のそれぞれに収容される３本の延在部を有する、４つのレンズ１１１，１１２，１１３，１１４およびレンズ枠１３０双方の硬度よりも低い硬度のレンズ保持部材に４つのレンズ１１１，１１２，１１３，１１４および３つの間隔環１２１，１２２，１２３を保持させてレンズ枠１３０内に挿入し、あるいは、レンズ枠１３０内にそのレンズ保持部材を挿入した後にレンズ保持部材の内側に４つのレンズ１１１，１１２，１１３，１１４および３つの間隔環１２１，１２２，１２３を挿入し、その後にレンズ保持部材を、レンズ枠１３０内に４つのレンズ１１１，１１２，１１３，１１４および３つの間隔環１２１，１２２，１２３を残したまま引き抜くことができる。従って、このレンズ鏡胴１００の組み立て時において、４つのレンズ１１１，１１２，１１３，１１４および３つの間隔環１２１，１２２，１２３とレンズ枠１３０とが擦れることがなく、両者が擦れて削れカスが発生することが回避される。このため、削れカスに起因して光学性能が悪化することが防止される。
【００３６】
以上で、本発明のレンズ鏡胴の一実施形態の説明を終了し、本発明のレンズ鏡胴組立方法の第１実施形態について説明する。
【００３７】
以下説明する第１実施形態は、図１，図２を参照して説明したレンズ鏡胴１００の組立方法である。
【００３８】
以下、そのレンズ鏡胴１００の構成要素それぞれについては同じ符号を付して説明を省略し、図３〜図６を参照してレンズ鏡胴１００（図１，図２参照）の組立方法についてのみ説明する。
【００３９】
図３は、レンズ枠１３０内に、４つのレンズ１１１，１１２，１１３，１１４および３つの間隔環１２１，１２２，１２３を保持させた状態のレンズ保持部材１５０を挿入する工程を示す説明図である。また、図４は、図３に示す工程によりレンズ保持部材１５０がレンズ枠１３０内に挿入された状態を示す斜視図である。また、図５は、図４に示す状態の光軸方向と平行な縦断面図である。また、図６は、図４に示す状態の光軸方向と直角な縦断面図である。
【００４０】
図３〜図５に示すレンズ保持部材１５０は、４つのレンズ１１１，１１２，１１３，１１４およびレンズ枠１３０双方の硬度よりも低い硬度を有する樹脂製部材である。また、このレンズ保持部材１５０は、光軸方向である矢印Ａ方向両端に開口して内壁１５１と外壁１５２とを有する。また、このレンズ保持部材１５０は、円筒状の筒部１５３と、筒部１５３の３箇所から光軸方向である矢印Ａ方向に並んで延在した３本の延在部１５４とを有する。また、このレンズ保持部材１５０は、筒部１５３を被写体側に向け、延在部１５４を結像側に向けて、延在部１５４がレンズ枠１３０内面１３１の凹溝１３１１に収容される。つまり、このレンズ保持部材１５０は、被写体側が一周にわたって連続し、結像側が筒部１５３の周回方向に断続した形状を有している。レンズ保持部材１５０の延在部１５４は、凹溝１３１１の深さよりも厚く形成されている。レンズ保持部材１５０の延在部１５４は、例えば２ｍｍ以下、好ましくは１ｍｍ以下の厚さを有する。
【００４１】
ここで、レンズ１１１，１１２，１１３，１１４、レンズ枠１３０、押さえ環１４０、および、レンズ保持部材１５０の硬度についてより詳細に説明する。レンズ１１１，１１２，１１３，１１４の硬度とレンズ保持部材１５０の硬度との間には、ビッカース硬度（ＨＶ）２００以上の硬度差があり、レンズ枠１３０および押さえ環１４０の硬度とレンズ保持部材１３０の硬度との間にはＨＶ２００以上の硬度差がある。より詳細には、レンズ１１１，１１２，１１３，１１４はガラス製であり、硬度はＨＶ３００以上８００以下である。また、レンズ枠１３０および押さえ環１４０はセラミック製であり、硬度はＨＶ２６００以下である。レンズ枠１３０および押さえ環１４０の硬度は耐衝撃性の観点からＨＶ５００以上２６００以下であることが好ましい。また、レンズ保持部材１５０の硬度は、ＨＶ１００以下である。また、レンズ保持部材１５０の引張り弾性係数は１００ＧＰａ以下、更に好ましくは１０ＧＰａ以下である。レンズ保持部材１５０の硬度は、レンズ１１１，１１２，１１３，１１４の硬度との差およびレンズ枠１３０の硬度との差を高めるため、ＨＶ４０以下であることが好ましい。レンズ保持部材１５０は、材料として樹脂を採用することにより、硬度がＨＶ４０以下であり、引張り弾性係数が１０ＧＰａ以下である。尚、ここでは、ビッカース硬度（ＨＶ）の数値によって硬度を表しているが、この数値は、ヌープ硬さ（Ｈｋ）においてもほぼ同等である。
【００４２】
組み立てでは、まず、レンズ保持部材１５０の延在部１５４における内壁１５１に囲まれた内部に、４つのレンズ１１１，１１２，１１３，１１４および３つの間隔環１２１，１２２，１２３を保持させる。
【００４３】
次に、レンズ枠１３０内に、４つのレンズ１１１，１１２，１１３，１１４および３つの間隔環１２１，１２２，１２３を保持させた状態のレンズ保持部材１５０を挿入する。
【００４４】
次に、レンズ枠１３０内に挿入されたレンズ保持部材１５０を、レンズ枠１３０内に４つのレンズ１１１，１１２，１１３，１１４および３つの間隔環１２１，１２２，１２３を残したまま引き抜く。
【００４５】
最後に、押さえ環１４０をレンズ枠１３０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠１３０の結像側レンズ押さえ部１３３と押さえ環１４０との間に挟み付けられ、レンズ枠１３０内で固定される。
【００４６】
図６には、レンズ保持部材１５０の延在部１５４がレンズ１１２を保持した状態でレンズ枠１３０内に挿入された状態が示されている。延在部１５４の厚みＤ２は、凹溝１３１１の深さＤ１よりも厚く形成されているため、延在部１５４が凹溝１３１１の中からレンズ枠１３０内の中心、つまりレンズ１１２に向かって突出している。したがって、延在部１５４に保持されたレンズ１１２をレンズ枠１３０内に挿入する際にも、延在部１５４に保持されたレンズ１１２と突条１３１２との間にはクリアランスが維持され、レンズ枠１３０とレンズ１１２の接触が回避される。尚、図６では、クリアランスを分かりやすく示すため、レンズ１１２の径を小さく表している。クリアランスの長さ（間隔）Ｄ３は、先に説明したように、レンズの軸ズレなどによる光学性能の低下を起さない限度に設定されており、例えば３０μｍ以下、好ましくは１５μｍ以下に設定されている。レンズの挿入時にもクリアランスを維持するため、延在部１５４の厚みＤ２は、クリアランスの長さから延在部１５４が凹溝１３１１内で移動できる程度の余裕を差し引いた分だけ、凹溝１３１１の深さＤ１よりも、厚く形成されている。例えば、延在部１５４の厚みＤ２は凹溝１３１１の深さＤ１よりも、３０μｍ以下、好ましくは１５μｍ以下程度分、厚く形成されている。尚、上述した寸法関係は、図６に示したレンズ１１２のみならず、残りのレンズ１１１，１１３，１１４および３つの間隔環１２１，１２２，１２３についても同様である。
【００４７】
レンズの挿入時、レンズ保持部材１５０は、レンズ枠１３０に接触して擦れるが、レンズ保持部材１５０は、レンズ枠１３０の硬度よりも低い硬度を有する樹脂製部材であるため、傷は生じても削れカスが発生しない。このように、第１実施形態のレンズ鏡胴組立方法によれば、４つのレンズ１１１，１１２，１１３，１１４および３つの間隔環１２１，１２２，１２３とレンズ枠１３０とが擦れることがなく、両者が擦れて削れカスが発生することが回避される。このため、組み立てられたレンズ鏡胴１００において、削れカスに起因して光学性能が悪化することが防止される。
【００４８】
また、第１実施形態のレンズ鏡胴組立方法は、レンズ保持部材１５０が光軸方向に延びる３本の延在部１５４を有するものであるため、レンズ保持部材１５０に４つのレンズ１１１，１１２，１１３，１１４および３つの間隔環１２１，１２２，１２３を保持させたり、レンズ枠１３０内にレンズ保持部材１５０を挿入したりするときの作業性に優れる。
【００４９】
また、レンズ保持部材１５０がレンズ枠１３０内に残っていると、レンズ保持部材１５０が周囲の温度変化によって膨張・収縮を繰り返すうちに、レンズ枠１３０の損傷を引き起こすおそれがあるが、第１実施形態のレンズ鏡胴組立方法は、レンズ保持部材１５０を引き抜く組立方法であるため、そのようなおそれがない。
【００５０】
また、第１実施形態のレンズ鏡胴組立方法は、レンズ保持部材１５０を、レンズ枠１３０内に４つのレンズ１１１，１１２，１１３，１１４および３つの間隔環１２１，１２２，１２３を残したまま引き抜く組立方法であるため、レンズ保持部材１５０を治具として使い回すことができる。
【００５１】
さらに、第１実施形態のレンズ鏡胴組立方法は、４つのレンズ１１１，１１２，１１３，１１４および３つの間隔環１２１，１２２，１２３をレンズ保持部材１５０に保持させた状態でレンズ枠１３０内に挿入する組立方法であるため、組立性に優れるとともに、傾いた姿勢でレンズが挿入されることによる擦れが回避される。また、第１実施形態のレンズ鏡胴組立方法によれば、４つのレンズ１１１，１１２，１１３，１１４および３つの間隔環１２１，１２２，１２３をレンズ保持部材１５０に保持させた状態で光学性能を確認することもできる。この場合、レンズ保持部材１５０をレンズ枠１３０内に挿入した状態でレンズの位置を調整する煩雑さが回避される。
【００５２】
以上で、本発明のレンズ鏡胴組立方法の第１実施形態の説明を終了し、本発明のレンズ鏡胴組立方法の第２実施形態について説明する。
【００５３】
以下説明する第２実施形態は、図１，図２を参照して説明したレンズ鏡胴１００の組立方法である。また、この組立方法で用いるレンズ保持部材１５０は、上述した第１実施形態のレンズ鏡胴組立方法で用いるレンズ保持部材１５０と同じものである。
【００５４】
以下、そのレンズ鏡胴１００の構成要素それぞれ、およびレンズ保持部材１５０の構成要素については同じ符号を付して説明を省略し、レンズ鏡胴１００（図１，図２参照）の組立方法についてのみ説明する。
【００５５】
まず、レンズ枠１３０内にレンズ保持部材１５０を挿入する。
【００５６】
次に、レンズ枠１３０内に挿入された状態のレンズ保持部材１５０の延在部１５４における内壁１５１に囲まれた内部に、４つのレンズ１１１，１１２，１１３，１１４および３つの間隔環１２１，１２２，１２３を挿入する。
【００５７】
次に、レンズ枠１３０内に挿入されたレンズ保持部材１５０を、レンズ枠１３０内に４つのレンズ１１１，１１２，１１３，１１４および３つの間隔環１２１，１２２，１２３を残したまま引き抜く。
【００５８】
最後に、押さえ環１４０をレンズ枠１３０に取り付け、４つのレンズ１１１，１１２，１１３，１１４のうちの最被写体側に配備される第４レンズ１１４の被写体側の面の周縁部分１１４１を押さえる。これによって、４つのレンズ１１１，１１２，１１３，１１４および３つの間隔環１２１，１２２，１２３が、レンズ枠１３０の結像側レンズ押さえ部１３３と押さえ環１４０との間に挟み付けられ、レンズ枠１３０内で固定される。
【００５９】
レンズ保持部材１５０は、４つのレンズ１１１，１１２，１１３，１１４およびレンズ枠１３０双方の硬度よりも低い硬度を有する樹脂製部材であるため、第２実施形態のレンズ鏡胴組立方法によれば、４つのレンズ１１１，１１２，１１３，１１４および３つの間隔環１２１，１２２，１２３とレンズ枠１３０とが擦れることがなく、両者が擦れて削れカスが発生することが回避される。このため、組み立てられたレンズ鏡胴１００において、削れカスに起因して光学性能が悪化することが防止される。
【００６０】
また、第２実施形態のレンズ鏡胴組立方法は、レンズ保持部材１５０が光軸方向に延びる３本の延在部１５４を有するものであるため、レンズ枠１３０内にレンズ保持部材１５０を挿入したり、レンズ保持部材１５０に４つのレンズ１１１，１１２，１１３，１１４および３つの間隔環１２１，１２２，１２３を挿入したりするときの作業性に優れる。
【００６１】
また、レンズ保持部材１５０がレンズ枠１３０内に残っていると、レンズ保持部材１５０が周囲の温度変化によって膨張・収縮を繰り返すうちに、レンズ枠１３０の損傷を引き起こすおそれがあるが、第２実施形態のレンズ鏡胴組立方法は、レンズ保持部材１５０を引き抜く組立方法であるため、そのようなおそれがない。
【００６２】
また、第２実施形態のレンズ鏡胴組立方法は、レンズ保持部材１５０を、レンズ枠１３０内に４つのレンズ１１１，１１２，１１３，１１４および３つの間隔環１２１，１２２，１２３を残したまま引き抜く組立方法であるため、レンズ保持部材１５０を治具として使い回すことができる。
【００６３】
以上で、本発明のレンズ鏡胴組立方法の第２実施形態の説明を終了する。
【００６４】
尚、上述した実施形態では、本発明にいう複数のレンズが、４つのレンズである例を挙げて説明したが、本発明にいう複数のレンズは、これに限られるものではない。
【００６５】
また、上述した実施形態では、本発明にいうレンズ保持部材が、樹脂製部材である例を挙げて説明したが、本発明にいうレンズ保持部材は、これに限られるものではなく、レンズおよびレンズ枠双方の硬度よりも低い硬度を有する部材であればよく、例えば、銅、アルミニウムや真鍮などといった金属製部材であってもよい。
【００６６】
また、上述した実施形態では、本発明にいう凹溝や延在部が、３本である例を挙げて説明したが、本発明にいう凹溝や延在部は、これに限られるものではなく、少なくとも３本であればよい。
【００６７】
また、上述した実施形態では、本発明における光軸方向前端側および後端側を、それぞれ被写体側および結像側とした例で説明したが、本発明はこれに限られるものでなく、結像側が本発明における前端側であり被写体側が本発明における後端側であってもよい。
【符号の説明】
【００６８】
１００    レンズ鏡胴
１１１    第１レンズ
１１１１    周縁部分
１１２    第２レンズ
１１３    第３レンズ
１１４    第４レンズ
１１４１    周縁部分
１２１    第１間隔環
１２２    第２間隔環
１２３    第３間隔環
１３０    レンズ枠
１３１    内面
１３１１    凹溝
１３１２    突条
１３２    外面
１３３    結像側レンズ押さえ部
１４０    押さえ環
１５０    レンズ保持部材
１５１    内壁
１５２    外壁
１５３    筒部
１５４    延在部
【図１】
2012002943.tif 000003
【図２】
2012002943.tif 000004
【図３】
2012002943.tif 000005
【図４】
2012002943.tif 000006
【図５】
2012002943.tif 000007
【図６】
2012002943.tif 000008